【手続補正書】
【提出日】平成18年1月10日(2006.1.10)
【手続補正１】
【補正対象書類名】明細書
【補正対象項目名】発明の名称
【補正方法】変更
【補正の内容】
【発明の名称】ポインティングデバイス
【手続補正２】
【補正対象書類名】明細書
【補正対象項目名】特許請求の範囲
【補正方法】変更
【補正の内容】
【特許請求の範囲】
【請求項１】  表示装置の表示画面に表示されるポインタを移動させるためのポインティングデバイスであって、
筐体の内部に配置される基板と、該基板の上部の前記筐体を構成する外装体とを備え、
該外装体は、開口部と、保持手段を介して押込み操作可能に保持されるプレートと、該プレートの押込み操作に伴って作動する操作スイッチとを備え、
該プレートは、該開口部から露出し、かつ物体の表面を当接させるための透明な外面部を有し、
該基板は、該プレートの外面部に向かって照明光を照射する発光手段と、該プレートの外面部に当接した該物体の表面に反射した反射光を検出する画像検出手段と、該反射光を該画像検出手段の検出面に結像させる光学手段とを備え、
該画像検出手段で検出された該プレートの外面部での画像の動きに応じて該ポインタを移動させ、かつ、該プレートの押込み操作に応じて該操作スイッチを動作させることを特徴とするポインティングデバイス。
【請求項２】  表示装置の表示画面に表示されるポインタを移動させるためのポインティングデバイスであって、
筐体の内部に配置される基板と、該基板の上部の該筐体を構成する外装体とを備え、
該外装体は、開口部と、保持手段を介して押込み操作可能に保持されるプレートと、該プレートの押込み操作に伴って作動する操作スイッチとを備え、
該プレートは、該開口部から露出し、かつ物体の表面を当接させるための透明な外面部を有し、
該基板は、該プレートの外面部に向かって照明光を照射する発光手段と、該プレートの外面部に当接した該物体の表面に反射した反射光を検出する画像検出手段と、該反射光を該画像検出手段の検出面に結像させる光学手段と、該画像検出手段で検出された該プレートの外面での画像の変化を検出し、検出した該画像の変化に応じた方向に該画像の変化に応じた速度で該ポインタを移動させる制御手段とを備えていることを特徴とするポインティングデバイス。
【請求項３】  請求項１または２において、
前記操作スイッチは、前記ポインタで指示される前記表示画面でのメニューを決定するための決定スイッチであることを特徴とするポインティングデバイス。
【請求項４】  請求項１〜３のいずれか１つにおいて、
前記画像検出手段での受光量と前記発光手段の発光量とから前記プレートの外面での反射率を計測する第１の手段と、
前記第１の手段で計測された反射率が予め設定された基準最低値以下であるとき、前記発光手段の発光量を予め設定された第１の基準値とし、前記第１の手段で計測された反射率が前記基準最低値を越えるとき、前記画像検出手段での受光量が前記第１の基準値よりも大きい予め設定された第２の基準値となるように、前記発光手段の発光量を調整する第２の手段と、
前記画像検出手段で検出した前記画像の動きを検出し、検出した前記動きの方向に応じた方向に前記ポインタを移動させる第３の手段と、
前記画像検出手段で検出した前記画像の動きの有無を判定し、前記動きがあるときには、該ポインティングデバイスを活動モードにするとともに、前記動きの方向に応じた方向に前記ポインタを移動させ、予め決められた一定の期間前記動きがないとき、該ポインティングデバイスを待機モードにする第４の手段と
を備え、
前記待機モードでの該ポインティングデバイスのセンシング頻度を前記活動モードでの該ポインティングデバイスのセンシング頻度よりも小さくすることを特徴とするポインティングデバイス。
【請求項５】  請求項４において、
前記第２の手段は、該第１の手段で計測された反射率が予め設定された基準最低値以下であるときには、前記発光手段の発光量を一時的に変化させ、該発光量の変化に対して前記画像検出手段での受光量が変化しないとき、前記発光手段の発光量を予め設定された第１の基準値とすることを特徴とするポインティングデバイス。
【手続補正３】
【補正対象書類名】明細書
【補正対象項目名】０００１
【補正方法】変更
【補正の内容】
【０００１】
【発明の属する技術分野】
本発明は、表示画面上でポインタ（カーソル）を移動させるためのポインティングデバイスに関する。
【手続補正４】
【補正対象書類名】明細書
【補正対象項目名】０００７
【補正方法】変更
【補正の内容】
【０００７】
本発明の目的は、かかる問題を解消し、充分に小型化することができて、かつポインタの移動操作が容易なポインティングデバイスを提供することにある。
【手続補正５】
【補正対象書類名】明細書
【補正対象項目名】０００８
【補正方法】変更
【補正の内容】
【０００８】
【課題を解決するための手段】
上記目的を達成するために、本発明は、表示装置の表示画面に表示されるポインタを移動させるためのポインティングデバイスであって、筐体の内部に配置される基板と、該基板の上部の前記筐体を構成する外装体とを備え、前記外装体は、開口部と、保持手段を介して押込み操作可能に保持されるプレートと、該プレートの押込み操作に伴って作動する操作スイッチとを備え、前記プレートは、前記開口部から露出し、かつ物体の表面を当接させるための透明な外面部を有し、前記基板は、前記プレートの外面部に向かって照明光を照射する発光手段と、前記プレートの外面部に当接した前記物体の表面に反射した反射光を検出する画像検出手段と、前記反射光を前記画像検出手段の検出面に結像させる光学手段と、を備え、前記画像検出手段で検出された前記プレートの外面部での画像の動きに応じて前記ポインタを移動させ、かつ、前記プレートの押込み操作に応じて前記操作スイッチを動作させるものである。
【手続補正６】
【補正対象書類名】明細書
【補正対象項目名】０００９
【補正方法】変更
【補正の内容】
【０００９】
また、前記画像検出手段での受光量と前記発光手段の発光量とから前記プレートの外面での反射率を計測する第１の手段と、前記第１の手段で計測された反射率が予め設定された基準最低値以下であるとき、前記発光手段の発光量を予め設定された第１の基準値とし、前記第１の手段で計測された反射率が前記基準最低値を越えるとき、前記画像検出手段での受光量が前記第１の基準値よりも大きい予め設定された第２の基準値となるように、前記発光手段の発光量を調整する第２の手段と、前記画像検出手段で検出した前記画像の動きを検出し、検出した前記動きの方向に応じた方向に前記ポインタを移動させる第３の手段と、前記画像検出手段で検出した前記画像の動きの有無を判定し、前記動きがあるときには、該ポインティングデバイスを活動モードにするとともに、前記動きの方向に応じた方向に前記ポインタを移動させ、予め決められた一定の期間前記動きがないとき、該ポインティングデバイスを待機モードにする第４の手段とを備え、前記待機モードでの該ポインティングデバイスのセンシング頻度を前記活動モードでの該ポインティングデバイスのセンシング頻度よりも小さくする。更に、前記第２の手段は、該第１の手段で計測された反射率が予め設定された基準最低値以下であるときには、前記発光手段の発光量を一時的に変化させ、該発光量の変化に対して前記画像検出手段での受光量が変化しないとき、前記発光手段の発光量を予め設定された第１の基準値とする。